(57)【要約】  本発明は回転式の炭火焼き板に関するものであり、特に、炭火を用いた肉を焼く時、使っている焼き板の交換が必要になる場合、使用者が焼き板の本体に設けられた焼き棒の移送操作のための制御装置の簡単な操作で、焼き棒供給箱に収納された焼き棒が移動手段を介して移送され、前記焼き板本体の開口部上で新しい焼き棒が位置し、前記焼き板本体の開口部上で使用していた焼き棒は、前記移動手段の回転によって焼き棒受け箱に移送されて収納できるようにした回転式の炭火焼き板に関するものであり、このような本発明は焼き板の迅速な交換を介して肉が焦げるのを防ぐことはもちろん、焼き板の頻繁な交換による使用上の不便さを解消し、焼き板として使用した焼き棒の排出及び洗浄が容易に行われることにより、使用上の便利さと、清潔な状態の焼き板を維持できるという衛生的な効果がある。
2008517702.tif 000002
【特許請求の範囲】
【請求項１】
中央に開口部が貫通形成され、その開口部の両側に内部空間を有する第１ケース部と第２ケース部が形成され、前記第１ケース部の前/後面に焼き棒の移送操作のための制御装置が設けられた焼き板本体と、
前記第１ケース部の内部空間に焼き棒を一つずつ供給する焼き棒供給箱が設けられ、その焼き棒供給箱の排出口側前段に前記制御装置と連結される第１回転手段が設けられた焼き棒供給部と、
前記第２ケース部の内部空間に焼き棒受け箱が設けられ、その焼き棒受け箱の一側空間に第２回転手段が設けられた焼き棒受け排出部と、
前記開口部が形成された焼き板本体の各水平方向ラインに沿って、前記第１及び第２回転手段と噛み合って回転し、前記焼き棒供給箱から供給される焼き棒を移送させる移動手段を備えた焼き棒移動部と、から構成されることを特徴とする回転式の炭火焼き板。
【請求項２】
前記焼き板本体の第１ケース部と第２ケース部の各上部面には、肉や野菜及び味付けした味噌などを入れることができる容器が、前記第１及び第２ケース部の各上部面の形状に対応し、着脱可能に更に設けられることを特徴とする請求項１記載の回転式の炭火焼き板。
【請求項３】
前記第１ケース部には一側に形成されたヒンジ軸を介して、上部がオープン開放されて開閉できるドアが形成され、前記第２ケース部には、着脱可能に上部にオープン開放される蓋タイプのドアが形成されることを特徴とする請求項１記載の回転式の炭火焼き板。
【請求項４】
前記第２ケース部には、前記焼き板受け箱が、前記第２ケース部の一側から引き出し式に取り出し及び挿入が可能な構造で着脱可能に設置され、ドアとして使用されることを特徴とする請求項１または３記載の回転式の炭火焼き板。
【請求項５】
前記焼き棒供給部には、前記焼き棒供給箱から供給される焼き棒を移動手段に一つずつ円滑に供給するために、前記焼き棒供給箱の排出口側後段に前記第１ケース部の床に設けられるスプリングと、回動ヒンジの結合からなり、シーソー運動をする回動部が更に設けられることを特徴とする請求項１記載の回転式の炭火焼き板。
【請求項６】
前記焼き棒受け排出部には、前記第２回転手段と焼き棒受け箱の間に移動する焼き棒を前記焼き棒受け箱に案内するガイド体が形成され、前記第２回転手段が形成された第２ケース部の側壁に移動する焼き棒を前記焼き棒受け箱に安定的に収納するための焼き棒排出フックが更に設けられることを特徴とする請求項１記載の回転式の炭火焼き板。
【請求項７】
前記焼き棒移動部内の移動手段は、前記焼き棒供給部から焼き棒を供給されて固定させた状態で、移送することが可能な構造のベルト又はチェーンが選択的に使用されることを特徴とする請求項１記載の回転式の炭火焼き板。
【請求項８】
前記焼き棒移動部内の移動手段は、一側にフックが形成され、中心に半円凹部が形成された多数の掛止片と、前記多数の掛止片が互いに交差するように形成された状態で、各掛止片の両側に挿入連結される多数のチェーンピンと、前記掛止片の半円凹部に収容された焼き棒が突出することなく、安定して整列できるようにガイドする多数のガイド片の連結組立により、円形上の一定長さを有するように形成されたことを特徴とする請求項１または７記載の回転式の炭火焼き板。
【請求項９】
上部の中央が開口された形状で、その中央に炭火が入れられる床面が形成され、その上部中央の両側に形成された第１ケース部と、第２ケース部の各前/後面に焼き棒の移送操作のための制御装置が設けられ、その第１ケース部と第２ケース部の上部にヒンジ軸を介して開閉できるそれぞれのドアが形成され、前記上部の中央から外方に開閉が可能な蓋が形成され、底部に四つの脚が形成された焼き板本体と、
前記第１ケース部の内部空間に焼き棒を一つずつ供給する焼き棒供給箱が設けられ、その焼き棒供給箱の排出口側の前段に前記制御装置と連結される第１回転手段が設けられた焼き棒供給部と、
前記第２ケース部の内部空間に焼き棒受け箱が設けられ、その焼き棒受け箱の一側空間に第２回転手段が設けられた焼き棒受け排出部と、
前記開口部が形成された焼き板本体の各水平方向のラインに沿って、前記第１及び第２回転手段と噛み合って回転しながら、前記焼き棒供給箱から供給される焼き棒を移送させる移動手段を備えた焼き棒移動部と、から構成されることを特徴とする回転式の炭火焼き板。
【請求項１０】
前記焼き板本体には、中央の前面又は後面から引き出し式に引き出されるドアを介して、外部に引き出し可能な炭火が入れられるコンロ（炭を入れる料理用）が、更に設けられることを特徴とする請求項９記載の回転式の炭火焼き板。
【請求項１１】
前記焼き板本体の上部中央に設けられた蓋は開放時、その内部面に肉や野菜及び味付けした味噌などを別々に入れることができる一定深さの区分された形状を有する容器部が、更に形成されることを特徴とする請求項９記載の回転式の炭火焼き板。
【請求項１２】
前記焼き板本体の底部に形成された四つの脚には、野外でのバーベキュー型として使用時、一定長さを有する下方にテーパーになった円筒状を有する補助脚が更に挿入されて設けられることを特徴とする請求項９記載の回転式の炭火焼き板。
【請求項１３】
前記焼き棒供給部には、前記焼き棒供給箱から供給される焼き棒を移動手段に一つずつ円滑に供給するために、前記焼き棒供給箱の排出口側後段に、前記第１ケース部の床に設けられるスプリングと、回動ヒンジの結合からなり、シーソー運動をする回動部が更に設けられることを特徴とする請求項９記載の回転式の炭火焼き板。
【請求項１４】
前記焼き棒受け排出部には、前記第２回転手段と焼き棒受け箱の間に移動する焼き棒を前記焼き棒受け箱に案内するガイド体が形成され、前記第２回転手段が形成された第２ケース部の側壁に移動する焼き棒を前記焼き棒受け箱に安定的に収納するための焼き棒排出フックが、更に設けられることを特徴とする請求項９記載の回転式の炭火焼き板。
【請求項１５】
前記焼き棒移動部内の移動手段は、前記焼き棒供給部から焼き棒を供給されて固定させた状態で、移送することが可能な構造のベルト又はチェーンが、選択的に使用されることを特徴とする請求項９記載の回転式の炭火焼き板。
【請求項１６】
前記焼き棒移動部内の移動手段は、一側にフックが形成され、中心に半円凹部が形成された多数の掛止片と、前記多数の掛止片が互いに交差するように形成された状態で、各掛止片の両側に挿入連結される多数のチェーンピンと、前記掛止片の半円凹部に収容された焼き棒が突出することなく、安定して整列できるようにガイドする多数のガイド片の連結組立により、円形上の一定長さを有するように形成されたことを特徴とする請求項９または１５記載の回転式の炭火焼き板。
【発明の詳細な説明】
【技術分野】
【０００１】
本発明は回転式の炭火焼き板に関するものであり、より詳細には、炭火を用いた肉を焼く時、使っている焼き板の交換が必要になる場合、使用者が焼き板の本体に設けられた制御装置の簡単な操作で、焼き棒の供給と移送及び排出が可能であり、新しい焼き板が位置するようにする回転式の炭火焼き板に関するものである。
【背景技術】
【０００２】
周知のとおり、現在、飲食店などで使用している炭火焼き板は、円形又は長方形の簡単な焼き網からなる。このような従来の焼き網を炭火焼き板として使用する場合、肉が焦げるのを防ぐためには通常は３〜４回ほどの焼き板の交換が必要になるため、従来の炭火焼き板は頻繁な交換による使用上の不便さや従業員による焼き板の交換時に安全事故発生の危険があり、また、炭火焼き板の遅れた交換によって発生する顧客不満と、従業員の増加による人件費の増加など多くの問題点があった。
【０００３】
また、炭火焼き板の洗浄においても、別途の従業員が炭火焼き板をいちいち手作業で洗浄することにより発生する作業の困難による作業時間の増加と、人件費の増加で管理コストが増加する問題点があった。
【発明の開示】
【発明が解決しようとする課題】
【０００４】
したがって、本発明は前記のような従来の問題点を解決するためのものであり、本発明の目的は、炭火焼き板の交換なしに使用者が焼き板の本体に設けられた制御装置の簡単な操作で、焼き棒の供給と移送及び排出が容易にできるので、新しい焼き板の連続使用が可能である回転式の炭火焼き板を提供することにある。
【０００５】
また、本発明の他の目的は、炭火焼き板として使用している焼き棒が互いに組み立てられるものではなく、一つずつ分離される構造に形成することにより、焼き棒の供給及び排出が容易にできる使用上の利便性を提供し、洗浄の容易化による最適の清潔状態の維持が可能な回転式の炭火焼き板を提供することにある。
【課題を解決するための手段】
【０００６】
前記のような目的を達成するために本発明の回転式の炭火焼き板は、
中央に開口部が貫通形成され、その開口部の両側に内部空間を有する第１ケース部と第２ケース部が形成され、前記第１ケース部の前/後面に焼き棒の移送(給送)操作のための制御装置が設けられた焼き板本体と、
前記第１ケース部の内部空間に焼き棒を一つずつ供給する焼き棒供給箱が設置され、その焼き棒供給箱の排出口側の前段に、前記制御装置と連結される第１回転手段が設けられた焼き棒供給部と、
前記第２ケース部の内部空間に焼き棒受け箱が設けられ、その焼き棒受け箱の一側空間に第 ２回転手段が設けられた焼き棒受け排出部と、前記開口部が形成された焼き板本体の各水平方向のラインに沿って、前記第１及び第２回転手段と噛み合って回転し、前記焼き棒供給箱から供給される焼き棒を移送させる移動手段を備えた焼き棒移動部と、
から構成されることを特徴とする。
【０００７】
また、本発明の他の実施例による回転式の炭火焼き板は、上部の中央が開口された形状で、その中央に炭火が入れられる床面が形成され、その上部中央の両側に形成された第１ケース部と、第２ケース部の各前/後面に焼き棒の移送操作のための制御装置が設けられ、その第１ケース部と第２ケース部の上部にヒンジ軸を介して開閉できるそれぞれのドアが形成され、前記上部の中央から外方に開閉が可能な蓋が形成され、底部に四つの脚が形成された焼き板本体と、
前記第１ケース部の内部空間に焼き棒を一つずつ供給する焼き棒供給箱が設けられ、その焼き棒供給箱の排出口側の前段に前記制御装置と連結される第１回転手段が設けられた焼き棒供給部と、
前記第２ケース部の内部空間に焼き棒受け箱が設けられ、その焼き棒受け箱の一側空間に第２回転手段が設けられた焼き棒受け排出部と、
前記開口部が形成された焼き板本体の各水平方向のラインに沿って、前記第１及び第２回転手段と噛み合って回転しながら、前記焼き棒供給箱から供給される焼き棒を移送させる移動手段を備えた焼き棒移動部と、
から構成されることを特徴とする。
【０００８】
本発明の目的、特徴及び効果は次の図に示した好ましい実施例の説明により、明確に理解することができる。
【発明を実施するための最良の形態】
【０００９】
以下、本発明の一実施例による回転式の炭火焼き板に対して添付された図を参照して詳しく説明する。
【００１０】
図１は本発明の第１実施例による回転式の炭火焼き板を説明するために示した斜視図で、図２は図１による平面図であり、図３は図１による回転式の炭火焼き板をより詳しく説明するために示した概略模式図で、本発明の第１実施例による回転式の炭火焼き板は、焼き板本体（１００）と、焼き棒供給部（２００）と、焼き棒受け排出部（３００）、及び焼き棒移動部（４００）とから構成されている。
【００１１】
前記焼き板本体（１００）は一般的な形状が長方形からなり、前記焼き板本体（１００）の中央に貫通された開口部（１０１）が形成され、その開口部（１０１）を中心に、一側に形成された第１ケース部（１０２）の前/後面に焼き棒（１０６）の移送（給送）制御のための制御装置（１０３）が設けられ、前記開口部（１０１）のまた他の一側に、一定サイズの空間を有する第２ケース部（１０４）が形成され、前記第１ケース部（１０２）と第２ケース部（１０４）には、外部から開口し、開閉できるドア（１０５）が形成されている。
【００１２】
また、前記制御装置（１０３）は、焼き棒（１０６）の移送操作のために手動で制御する制御レバーと、内部に小型モータを取り付けた電動式の自動ボタンの構造などで、多様に実現されうる。
【００１３】
さらに、前記焼き板本体（１００）の第１ケース部（１０２）と、第２ケース部（１０４）の各上部面には、肉や野菜及び味付けした味噌などを入れることができる別途の容器（１０７）が、前記第１及び第２ケース部（１０２、１０４）の各上部面パターンに対応して着脱可能に更に設置することができ、このような前記容器（１０７）は、図９に示された回転式の炭火焼き板の斜視図を介して確認することができる。
【００１４】
また、前記第１ケース部（１０２）に形成されたドア（１０５）は、一側に形成されたヒンジ軸（図示せず）を介して、上部が一側にオープン開放される構造からなり、前記第２ケース部（１０４）に形成されたドア（１０５）は、着脱可能に上部にオープン開放される蓋タイプの構造に形成されることが好ましく、このような前記ドア（１０５）は、図８に示された例示図を介して確認することができる。
【００１５】
また、前記焼き棒供給部（２００）は、前記第１ケース部（１０２）の内部空間に挿入装着され、図３ないし図５に示すように、前記第１ケース部（１０２）の内部空間に焼き棒（１０６）を排出するための排出口（２０１）が形成された焼き棒供給箱（２０２）が設けられ、 その焼き棒供給箱（２０２）の排出口（２０１）側の前段に前記制御装置（１０３）と連結接続される一対の第１回転手段（２０３）が設けられ、前記焼き棒供給箱（２０２）の排出口（２０１）側の後段に、前記第１ケース部（１０２）の床に設けられるスプリング（２０４）と、回動ヒンジ（２０５）の結合で形成された回動部（２０６）が設けられた構造からなる。
【００１６】
ここで、前記焼き棒供給箱（２０２）は、図８に示すように、前記第１ケース部（１０２）のドア（１０５）がヒンジ軸（図示せず）を介して一側に開放状態で、上部を介して供給される多数の焼き棒（１０６）を収納し、排出口（２０１）を介して焼き棒（１０６）を一つずつ排出する役割をし、前記焼き棒（１０６）の排出を容易にするように、床面が一定角度傾くように形成することが好ましい。
【００１７】
また、前記焼き棒（１０６）は一定の長さを有する円筒状の棒で、ステンレス材質よりなることが好ましい。
【００１８】
また、前記回動部（２０６）は、図４及び図５に詳細に示すように、弾性力を有するスプリング（２０４）と、シーソー機能を有する回動ヒンジ（２０５）の組み合わせからなり、その動作を添付された図５を参照して簡単に説明すると次のようである。
【００１９】
先ず、図５の（a）に示すように、９５番の焼き棒（１０６）が排出口（２０１）に位置し、移動手段（４０１）に収容された９７番の焼き棒（１０６）が、前記回動ヒンジ（２０５）の右側にかかった状態で、 使用者が前記第１ケース部（１０２）の前面又は/後面に設けられた制御装置（１０３）を回転させる場合、図５の（b）に示すように、９７番の焼き棒（１０６）が接触している前記回動ヒンジ（２０５）を押して右側に移動し、それと共に前記回動ヒンジ（２０５）のシーソー運動により、他の一側が９５番の焼き棒（１０６）を前記移動手段（４０１）に押し上げるようになる。
【００２０】
以後、スプリング作用とシーソー運動が完了した前記スプリング（２０４）と、回動ヒンジ（２０５）は、図５の（c）に示すように、９４番の焼き棒（１０６）が排出口（２０１）に位置し、移動手段（４０１）に収容された９６番の焼き棒（１０６）が、前記回動ヒンジ（２０５）の右側にかかった状態を維持するようになる。
【００２１】
また、前記焼き棒受け排出部（３００）は、前記第２ケース部（１０４）の内部空間に挿入装着され、図３と図６ないし図８に示すように、前記第２ケース部（１０４）の内部空間に排出される焼き棒（１０６）を収納するための焼き棒受け箱（３０１）が着脱可能に設けられ、その焼き棒受け箱（３０１）の前段に一対の第２回転手段（３０２）が設けられ、前記第２回転手段（３０２）と焼き棒受け箱（３０１）の間に移動する焼き棒（１０６）を案内するガイド体（３０３）が形成され、前記第２回転手段（３０２）が形成された第２ケース部（１０４）の側壁に移動する焼き棒（１０６）を前記焼き棒受け箱（３０１）に安定的に収納するための焼き棒排出フック（３０４）が設けられた構成からなる。
【００２２】
ここで、前記焼き棒受け箱（３０１）は、図６に示すように、前記移動手段（４０１）からガイド体（３０３）を経て移送される焼き棒（１０６）を供給されて、順に収納する役割をする。このとき、前記焼き棒排出フック（３０４）は、前記ガイド体（３０３）に沿って移送中の前記焼き棒（１０６）が、前記焼き棒受け箱（３０１）に安定的に収納できるように、前記ガイド体（３０３）の最上部から前記焼き棒（１０６）を押し出すようになる。
【００２３】
また、前記焼き棒受け箱（３０１）に集められた焼き棒（１０６）は、図８に示すように、前記第２ケース部（１０４）のドア（１０５）が完全に開放状態で、作業者によって前記焼き棒受け箱（３０１）が外部に引き出された後、その内部に収納された焼き棒（１０６）の排出が行われ、図７に示すように、前記焼き板受け箱（３０１）が、前記第２ケース部（１０４）の一側から引き出しと同じ方法で、取り出し及び挿入が可能な構造で着脱可能に設けられ、その焼き板受け箱（３０１）の取り出し後、使われた焼き棒（１０６）を排出することもでき、このとき、前記焼き板受け箱（３０１）外周面は、そのものがドアとして用いられる。
【００２４】
また、前記焼き棒移動部（４００）は前記焼き板本体（１００）の開口部（１０１）が形成された各水平方向のラインに沿って、前記第１及び第２回転手段（２０３、３０２）と噛み合って回転する一対の移動手段（４０１）からなり、このような前記移動手段（４０１）は、前記焼き棒供給部（２００）から焼き棒（１０６）を供給されて、固定させた状態で移送することが可能な構造のベルト又はチェーンを選択的に使用することができ、このとき、前記ベルトには焼き棒（１０６）の収容のための多数の凹部が形成されることが好ましい。
【００２５】
また、前記チェーン構造からなる前記移動手段（４０１）は、一側にフック（４０２）が形成され、中心に半円凹部（４０３）が形成された多数の掛止片（４０４）と、前記多数の掛止片（４０４）が互いに交差するように形成された状態で、各掛止片（４０４）の両側に挿入連結される多数のチェーンピン（４０５）、及び前記掛止片（４０４）の半円凹部（４０３）に収容された焼き棒（１０６）が突出することなく、安定して整列できるようにガイドする多数のガイド片（４０６）の連結組立により、円形上の一定長さを有するように形成されている。
【００２６】
前述のような本発明の第１実施例による回転式の炭火焼き板は、炭火が入れられたコンロ（炭を入れる料理用）（図示せず）が設けられるテーブルの上などに置いて使用するテーブル型であり、前記回転式の炭火焼き板は、ここに限定されず、様々な変形、修正が可能であり、例えば、テーブルなどに一体に固定される形態で構成することもできる。
【００２７】
一方、図１０ないし図１６には、本発明の第２実施例による回転式の炭火焼き板が示されている。
【００２８】
先ず、本発明の第２実施例による回転式の炭火焼き板を添付された図を参照して説明するのに先立って、同じ構成に対しては前述した本発明の第１実施例のような同じ番号を付与する。
【００２９】
図１０は本発明の第２実施例による回転式の炭火焼き板を説明するために示した斜視図で、図１１は図１０による平面図であり、図１２は図１０による回転式の炭火焼き板をより詳しく説明するために示した概略模式図で、本発明の第２実施例による回転式の炭火焼き板は、上述した第１ 実施例のように、焼き板本体（１００）と、 焼き棒供給部（２００）と、焼き棒受け排出部（３００）、及び焼き棒移動部（４００）に大きく構成されている。
【００３０】
前記焼き板本体（１００）は形状が長方形からなり、上部中央が開口された形状で、その中央に炭火が入れられる床面が形成され、その上部中央の両側に形成された第１ケース部（１０２）と、第２ケース部（１０４）の各々前/後面に制御装置（１０３）が設けられ、その第１ケース部（１０２）と第２ケース部（１０４）の上部にヒンジ軸（図示せず）を介して開閉できる、それぞれのドア（１０５）が形成され、前記上部中央から外方に開閉が可能な蓋（１０８）が形成され、底部に四つの脚（１０９）が形成されている。
【００３１】
ここで、前記焼き板本体（１００）には、中央の前面又は後面から引き出しと同じ方法で取り出すドア（図示せず）を介し、外部に取り出し可能な炭火が入れられるコンロ（１１０）が図１４に示すように更に設けられる。
【００３２】
また、前記焼き板本体（１００）の上部中央に設けられた蓋（１０８）は、図１０及び図１５に示すように開放時、その内部面に肉や野菜及び味付けした味噌などを別々に入れることができる一定深さの区分された形状を有する容器部（１１１）が追加的に形成されており、このような前記蓋（１０８）は、前記焼き板本体（１００）の前/後面の一側に形成された、それぞれのヒンジ軸（図示せず）を介して連結され、そのヒンジ軸の回動を介して開閉が行われるようになる。
【００３３】
また、前記焼き板本体（１００）の底部に形成された四つの脚（１０９）には、野外でのバーベキュー型として使用時、一定高さを有するために図１５及び図１６に示すように、一定長さを有し、下方にテーパーになった円筒状からなる補助脚（１１２）が、更に挿入されて設けることができる。
【００３４】
また、前記第１ケース部（１０２）と第２ケース部（１０４）に形成された各ドア（１０５）は、図１３に示すように、外側に形成されたヒンジ軸（図示せず）を介し、上部が一側にオープン開放される構造からなることが好ましい。
【００３５】
また、前記焼き棒供給部（２００）は、前記第１ケース部（１０２）の内部空間に挿入装着され、図１２及び図１３に示すように、前記第１ケース部（１０２）の内部空間に焼き棒（１０６）を排出するための排出口（２０１）が形成された焼き棒供給箱（２０２）が設けられ、その焼き棒供給箱（２０２）の排出口（２０１）側前段に前記制御装置（１０３）と連結接続される、一対の第１回転手段（２０３）が設けられ、前記焼き棒供給箱（２０２）の排出口（２０１）側後段に、前記第１ケース部（１０２）の床に設けられるスプリング（２０４）と、回動ヒンジ（２０５）の結合からなる回動部（２０６）が形成された構造になっている。
【００３６】
ここで、前記焼き棒供給部（２００）の詳細構成の動作説明は、上述の第１実施例の構成と原理が同じなので省略する。
【００３７】
また、前記焼き棒受け排出部（３００）は、前記第２ケース部（１０４）の内部空間に挿入装着され、図１２及び図１３に示すように、前記第２ケース部（１０４）の内部空間に排出される焼き棒（１０６）を収納するための焼き棒受け箱（３０１）が着脱可能に設けられ、その焼き棒受け箱（３０１）の前段に、前記制御装置（１０３）と連結接続される一対の第２回転手段（３０２）が設けられ、前記第２回転手段（３０２）と焼き棒受け箱（３０１）の間に移動する焼き棒（１０６）を案内するガイド体（３０３）が形成され、前記第２回転手段（３０２）が形成された第２ケース部（１０４）の側壁に移動する焼き棒（１０６）を、前記焼き棒受け箱（３０１）に安定的に収納するための焼き棒排出フック（３０４）が設けられた構成からなる。
【００３８】
ここで、前記焼き棒受け排出部（３００）の詳細構成の説明は、上述の第１実施例の構成と原理が同じなので省略する。
【００３９】
また、前記焼き棒移動部（４００）は、前記焼き板本体（１００）の開口部（１０１）が形成された各水平方向ラインに、前記第１及び第２回転手段（２０３、３０２）と噛み合って回転する一対の移動手段（４０１）からなり、このような前記移動手段（４０１）は、前記焼き棒供給部（２００）から焼き棒（１０６）を供給されて固定させた状態で移送することが可能な構造のベルト又はチェーンが選択的に使用可能であり、このとき、前記ベルトには焼き棒（１０６）の収容のための多数の凹部が形成されることが好ましい。
【００４０】
また、前記チェーン構造からなる前記移動手段（４０１）は、一側にフック（４０２）が形成され、中心に半円凹部（４０３）が形成された多数の掛止片（４０４）と、前記多数の掛止片（４０４）が、互いに交差するように形成された状態で、各掛止片（４０４）の両側に挿入連結される多数のチェーンピン（４０５）、及び前記掛止片（４０４）の半円凹部（４０３）に収容された焼き棒（１０６）が突出することなく、安定して整列できるようにガイドする多数のガイド片（４０６）の連結組立により、円形上の一定長さを有するように形成されている。
【００４１】
前述した本発明の第２実施例による回転式の炭火焼き板は、 野外でバーベキュー型として便利に設置して使用することができ、上述した第１実施例と比べると、前記焼き板本体（１００）の開口された形状の上部中央を開閉できる蓋（１０８）と、その蓋（１０８）の開放時、その内部面を肉や野菜及び味付けした味噌を入れることができるように形成した容器部（１１１）の構成と、野外で使用時、一定高さを有するように形成した脚（１０９）と、補助脚（１１２）の連結組立、及び前記焼き板本体（１００）の中央床面に直接炭火を入れて使用するか、又は、別途の炭火が入れられたコンロ（１１０）が選択的に使用することができる構成が相違し、この以外の構成上の動作原理は前述した第１実施例と同一である。
【００４２】
前記のような構成を有する本発明の一実施例による回転式の炭火焼き板の使用及び動作を添付された図を参照して説明する。
【００４３】
先ず、本発明の第１及び第２実施例による回転式の炭火焼き板は、使い方及び構成上の動作原理が同じなので、以下では本発明の第１実施例による回転式の炭火焼き板を例をあげて説明する。
【００４４】
本発明の第１実施例による回転式の炭火焼き板は、炭火が入れられたコンロが設けられるテーブルなどに置いて使用するものであり、前記焼き板本体（１００）をコンロが設けられたテーブルに置いて使用中に、肉が焦げ付いて新しい焼き板が必要になる場合、 使用者が前記第１ケース部（１０２）の前/後面に設けられた制御装置（１０３）を望むだけ一側方向に回転させる。
【００４５】
そうすると、前記制御装置（１０３）と連結された前記第１回転手段（２０３）と、その第１回転手段（２０３）と噛み合って回転する移動手段（４０１） 及び焼き棒受け排出部（３００）に設けられた第２回転手段（２０３）が使用者により回されただけ一側方向に回転する。
【００４６】
これにより、前記焼き板本体（１００）の上部中央の開口部（１０１）に位置していた肉焼に使われた焼き棒（１０６）が、前記焼き棒受け排出部（３００）の焼き棒受け箱（３０１）に収納され、前記焼き棒供給部（２００）の焼き棒供給箱（２０２）に保管中の未使用の焼き棒（１０６）が、前記移動手段（４０１）の半円凹部（４０３）に収容され、前記焼き板本体（１００）の開口部（１０１）に移送されて位置する。
【００４７】
これは、前記焼き板本体（１００）の開口部（１０１）に使用されていない新しい焼き板が移送されて位置し、前述した使用者の簡単な制御装置（１０３）の操作で、焼き板の直接的な交換なし、新しい焼き板が位置し、連続使用が可能になる。
【００４８】
このとき、前記焼き板本体（１００）の第１ケース部（１０２）と、第２ケース部（１０４）の上部面には、肉や野菜及び味付けした味噌などを入れることができる容器（１０７）が更に設けられて位置し、使用が完了して前記焼き棒受け排出部（３００）の焼き棒受け箱（３０１）に収納された焼き棒（１０６）は、図７及び図８に示すように、前記焼き棒受け箱（３０１）が外部に取り出された状態で、排出が容易に行え、その後、洗浄工程を経て再使用される。
【００４９】
本発明による回転式の炭火焼き板によれば、炭火を用いて肉を焼くとき、使用中の焼き板の交換が必要になる場合、使用者が焼き板本体に設けられた制御装置の簡単な操作で、焼き棒の供給と移送及び排出が行えることにより、新しい焼き板が位置することが可能となるため、焼き板の迅速な交換を介して肉が焦げるのを防ぐことはもちろん、焼き板の頻繁な交換による使用上の不便さを解消し、又、焼き板として使用した焼き棒の排出及び洗浄が容易に行われることにより、使用上の便利さと、常に清潔な状態の焼き板を維持できるという衛生的な効果がある。
【００５０】
また、飲食店などでの使用時、お客さんが使用している焼き板を従業員が交換しなければならない手間を省けることはもちろん、焼き板の交換が遅れることによる顧客不満などの問題を同時に解決する効果があり、また、店で一番問題になっているのは、焼き板の洗浄及び清潔においても、焼き板が棒からなって排出することにより、洗浄及び清潔維持が容易で、それに伴う人件費などの管理コストが低減される効果がある。
【図面の簡単な説明】
【００５１】
【図１】本発明の第１実施例による回転式の炭火焼き板を説明するために示した斜視図。
【図２】図１による回転式の炭火焼き板を説明するために示した平面図。
【図３】図１による回転式の炭火焼き板をより詳しく説明するために示した概略模式図。
【図４】図３による回転式の炭火焼き板の焼き棒供給部を詳しく説明するために示した拡大図。
【図５】図３による回転式の炭火焼き板の回動部の動作原理を詳しく説明するために示した例示図。
【図６】図３による回転式の炭火焼き板の焼き棒受け排出部を詳しく説明するために示した拡大図。
【図７】図３による回転式の炭火焼き板の焼き棒受け箱のまた他の形態を説明するために示した概略図。
【図８】本発明の第１実施例による回転式の炭火焼き板の焼き棒投入及び排出を説明するために示した例示図。
【図９】本発明の第１実施例による回転式の炭火焼き板に容器が設けられた状態を示した斜視図。
【図１０】本発明の第２実施例による回転式の炭火焼き板を説明するために示した斜視図。
【図１１】図１０による回転式の炭火焼き板を説明するために示した平面図。
【図１２】図１０による回転式の炭火焼き板をより詳しく説明するために示した概略模式図。
【図１３】図１２による回転式の炭火焼き板の焼き棒投入及び排出を説明するために示した例示図。
【図１４】図１２による回転式の炭火焼き板にコンロ（炭を入れる料理用）が設けられる状態を説明するために示した例示図。
【図１５】本発明の第２実施例による回転式の炭火焼き板の設置が完了した状態で蓋が開口された状態を示した斜視図。
【図１６】本発明の第２実施例による回転式の炭火焼き板の設置が完了した状態で蓋が閉まった状態を示した斜視図。
【図１】
2008517702.tif 000003
【図２】
2008517702.tif 000004
【図３】
2008517702.tif 000005
【図４】
2008517702.tif 000006
【図５】
2008517702.tif 000007
【図６】
2008517702.tif 000008
【図７】
2008517702.tif 000009
【図８】
2008517702.tif 000010
【図９】
2008517702.tif 000011
【図１０】
2008517702.tif 000012
【図１１】
2008517702.tif 000013
【図１２】
2008517702.tif 000014
【図１３】
2008517702.tif 000015
【図１４】
2008517702.tif 000016
【図１５】
2008517702.tif 000017
【図１６】
2008517702.tif 000018
【国際調査報告】
2008517702.tif 000019
2008517702.tif 000020